(57)【要約】【課題】輸送時にバケットを飛び跳ねないように固定でき、水漏れを防止できる花卉梱包箱を提供する。【解決手段】側壁１乃至４を連設して角筒状の周壁をなし、底面及び天面を閉じ、花卉の茎を挿すバケットＢを底部に収納する梱包箱において、前記側壁３に、切り起こしにより下向き鉤状の係止片３ａを設け、この係止片３ａをバケットＢの上縁部に係合させて、梱包箱の内部にバケットＢを固定し、梱包箱の壁面への衝突による花卉の傷みを防止すると共に、バケットＢからの水漏れを防止する。【選択図】図２
2006182386.tif 000002
【特許請求の範囲】
【請求項１】
側壁を連設して角筒状の周壁をなし、底面及び天面を閉じ、花卉の茎を挿すバケットを底部に収納する梱包箱において、前記側壁に、切り起こしにより下向き鉤状の係止片を設け、この係止片がバケットの上縁部に係合するようにしたことを特徴とする花卉梱包箱。
【請求項２】
請求項１に記載の花卉梱包箱において、周壁を三角筒、台形筒、五角筒等の異形筒状としたことを特徴とする花卉梱包箱。
【発明の詳細な説明】
【技術分野】
【０００１】
この発明は、花卉を水や土を入れたバケットに挿して、鮮度を保ちつつ輸送できるようにした梱包箱に関するものである。
【背景技術】
【０００２】
従来、切花輸送用の梱包体として、図１７に示すように、段ボール製の梱包箱５１及び台枠５２から成り、梱包箱５１の底部に台枠５２を挿入し、この台枠５２で鉢状のバケット５３を保持して、バケット５３に入れた土に切花５４を植えたままの状態で、切花５４を輸送できるようにしたものが使用されている（下記特許文献１参照）。
【０００３】
また、バケット５３に花卉の茎を挿入する開口部を備えた蓋を被せ、バケット５３に水を入れて、バケット５３からの水漏れを蓋で防止しつつ、花卉を水に挿した状態で輸送する場合もある。
【０００４】
【特許文献１】実公平４−３９１３２号公報（第５図）
【発明の開示】
【発明が解決しようとする課題】
【０００５】
ところで、上記のような梱包体では、輸送時の衝撃により梱包箱５１の内部でバケット５３が飛び跳ねると、花卉が梱包箱５１の壁面に衝突して潰れたり、梱包箱５１が横倒しにされたとき、蓋を被せていないバケット５３から水が漏れたりする恐れがあった。
【０００６】
そこで、この発明は、輸送時にバケットを飛び跳ねないように固定でき、水漏れを防止できる花卉梱包箱を提供しようとするものである。
【課題を解決するための手段】
【０００７】
上記課題を解決するため、この発明は、側壁を連設して角筒状の周壁をなし、底面及び天面を閉じ、花卉の茎を挿すバケットを底部に収納する梱包箱において、前記側壁に、切り起こしにより下向き鉤状の係止片を設け、この係止片がバケットの上縁部に係合するようにしたのである。
【０００８】
また、梱包箱の周壁を三角筒、台形筒、五角筒等の異形筒状として、梱包箱が横倒しにされにくくしたのである。
【発明の効果】
【０００９】
上記のように、側壁を切り起こして形成した係止片に、バケットの上縁部を係合させると、梱包箱の内部におけるバケットの移動が阻止されるので、梱包箱の壁面への衝突による花卉の傷みを防止することができ、バケット固定用の別部材を用意する必要もない。
【００１０】
また、梱包箱の周壁を三角筒、台形筒、五角筒等の異形筒状として、梱包箱が横倒しにされにくくすると、バケットに蓋が被せられていない場合に、梱包箱が横倒しにされてバケットから水が漏れる事態を未然に防止することができる。
【発明を実施するための最良の形態】
【００１１】
まず、この発明の第1実施形態を図1乃至図４に基づいて説明する。
【００１２】
この梱包箱は、四角柱状をなすものであり、図１に示す段ボール製ブランクから形成される。このブランクでは、正面となる側壁１の片側に、一方の側面となる側壁２、後面となる側壁３及び他方の側面となる側壁４が順次連設され、側壁４の外縁には当接片５が連設されている。側壁１乃至４は、略同じ幅の縦長矩形とされている。
【００１３】
側壁２の下端には下底板６ａが連設され、その一側には上底板６ｂが、他側には後底板６ｃがそれぞれ連設され、側壁４の下端には挟底板６ｄが連設されている。側壁３の上端には天板７が連設され、側壁１，２，４の上端には折曲片８が連設されている。
【００１４】
側壁１には、幅方向の繋ぎ入り切目線１ｃが入れられ、その上方部分の外縁には差込片１ａが、下方部分の外縁には差込片１ｂがそれぞれ設けられている。当接片５には、側壁４との稜部に沿って差込穴５ａ，５ｂが形成されている。天板７の先端には差込片７ａが設けられ、側壁１に繋がる折曲片８の基部には差込穴８ａが形成されている。
【００１５】
そして、側壁３の中間下部には、一対の下向き鉤状の係止片３ａが切込により形成されている。係止片３ａは、基端の縦罫線をヒンジとして起こせるようになっている。
【００１６】
上記のようなブランクを組み立てて花卉を梱包するには、図２及び図３に示すように、側壁１，２，３，４を四角筒をなすように折り曲げて周壁を形成すると共に、下底板６ａと上底板６ｂの間に挟底板６ｄを挟んで底壁を形成し、後底板６ｃを側壁３の内面に沿わせ、上底板６ｂの先端の突起を後底板６ｃの基部の穴に係合させる。
【００１７】
そして、側壁１を開いた状態で、花卉を挿したバケットＢを箱内の底部に収納し、係止片３ａを起こして、バケットＢの上縁部に係合させた後、当接片５を内側へ折り曲げ、側壁１を閉じて、差込片１ａ，１ｂを差込穴５ａ，５ｂに差し込み、折曲片８を内側へ折り曲げ、天板７を閉じて、差込片７ａを差込穴８ａに差し込む。
【００１８】
このように、側壁３を切り起こして形成した係止片３ａに、バケットＢの上縁部を係合させると、梱包箱の内部におけるバケットＢの移動が阻止されるので、梱包箱の壁面への衝突による花卉の傷みを防止することができ、バケットＢを固定するための別部材を用意する必要もない。
【００１９】
また、花卉市場で競りを行う際には、図４に示すように、差込片７ａを差込穴８ａから引き抜いて天板７を開き、側壁１を切目線１ｃに沿って分割し、差込片１ａ，１ｂを差込穴５ａ，５ｂから引き抜いて、切目線１ｃの上方部分と下方部分とを開くことにより、正面側を全面的に開口させて、バケットＢに挿した花卉を見せることができる。
【００２０】
次に、この発明の第２実施形態を図５乃至図７に基づいて説明する。
【００２１】
この梱包箱は、二つのトレー部分からなり、図５に示す段ボール製ブランクから構成される。このブランクでは、正面側トレー１１の側壁１３と、後面側トレー１２の側壁１４とが、一方の側面となる側壁１５を介して繋がっている。側壁１３，１４の外側には、それぞれ他方の側面となる側壁１６の半分が連設されている。
【００２２】
側壁１５の中央には縦方向の罫線１５ａが入れられ、その両側の部分及び各側壁１６の上下端には折込片１７がそれぞれ連設されている。側壁１３，１４の上下端には、それぞれ外端板１８ａ及び内端板１８ｂが順次連設されている。
【００２３】
一方の側壁１６の外側には当接片１６ａが連設され、その上下端には中央に罫線を有する封止片１６ｂが設けられている。他方の側壁１６の上下端には、折込片１７へかけてコ字状の切込部１６ｃが形成されている。
【００２４】
そして、側壁１４の中間下部には、一対の下向き鉤状の係止片１４ａが切込により形成されている。係止片１４ａは、基端の縦罫線をヒンジとして起こせるようになっている。
【００２５】
上記のようなブランクを組み立てて花卉を梱包するには、図６に示すように、トレー１１，１２の側壁１３，１４を対向するように側壁１５から折り曲げ、側壁１５に各側壁１６を対向させ、外端板１８ａと内端板１８ｂの間に折込片１７を挟み、内端板１８ｂの先端の突起を側壁１３，１５の上下端部の穴に係合させ、トレー１１，１２を形成する。
【００２６】
そして、トレー１１，１２を開いた状態で、花卉を挿したバケットＢを箱内の底部に収納し、係止片１４ａを起こして、バケットＢの上縁部に係合させた後、当接片１６ａを他方の側壁１６に被せ、封止片１６ｂを屈曲させて切込部１６ｃに差し込む。
【００２７】
このように、側壁１４を切り起こして形成した係止片１４ａに、バケットＢの上縁部を係合させると、梱包箱の内部におけるバケットＢの移動が阻止されるので、梱包箱の壁面への衝突による花卉の傷みを防止することができ、バケットＢを固定するための別部材を用意する必要もない。
【００２８】
また、花卉市場で競りを行う際には、図７に示すように、封止片１６ｂを切込部１６ｃから引き抜いて、トレー１１，１２を開くことにより、トレー１１，１２の対向面を全面的に開口させて、バケットＢに挿した花卉を見せることができる。
【００２９】
次に、この発明の第３実施形態を図８乃至図１０に基づいて説明する。
【００３０】
この梱包箱は、三角柱状をなすものであり、図８に示す段ボール製ブランクから形成される。このブランクでは、正面となる側壁２１の一側に、後方二面となる側壁２２，２３が順次連設され、側壁２３の下端に底板２４が、側壁２１の上端に天板２５がそれぞれ連設されている。底板２４及び天板２５は直角二等辺三角形であり、その斜辺の長さに側壁２１の幅が対応し、直角を挟む各辺の長さに側壁２２，２３の幅が対応している。
【００３１】
側壁２２の上下端及び側壁２３の上端には、折曲片２６がそれぞれ連設され、側壁２３の外側には当接片２７が、底板２４の斜辺には底折片２８がそれぞれ連設されている。当接片２７の下端には差込片２７ｂが、底折片２８の一端には三角形の延長片２８ａを介して差込片２８ｂがそれぞれ連設され、底折片２８の基部には差込穴２８ｃが、側壁２２の下端部には差込穴２２ｂがそれぞれ形成されている。
【００３２】
側壁２１の外縁には差込片２１ａが設けられ、当接片２７の基部には差込穴２７ａが形成されている。天板２５の直角を挟む二辺には差込片２５ａが設けられ、側壁２２，２３の上端に繋がる折曲片２６の基部には差込穴２６ａが設けられている。
【００３３】
そして、側壁２２，２３の中間下部には、一対の下向き鉤状の係止片２２ａ，２３ａが切込によりそれぞれ形成されている。係止片２２ａ，２３ａは、基端の縦罫線をヒンジとして起こせるようになっている。
【００３４】
上記のようなブランクを組み立てて花卉を梱包する際には、図９に示すように、側壁２１，２２，２３を三角筒をなすように折り曲げて周壁を形成し、側壁２２の下端の折曲片２６を内側へ折り曲げて、底板２４を閉じる。
【００３５】
次いで、底折片２８を上方へ折り曲げ、延長片２８ａを側壁２２の外面に沿わせ、差込片２８ｂを差込穴２２ｂに差し込むと共に、当接片２７を内側へ折り曲げ、差込片２７ｂを差込穴２８ｃに差し込む。
【００３６】
そして、側壁２１を開いた状態で、花卉を挿したバケットＢを箱内の底部に収納し、係止片２２ａ，２３ａを起こして、バケットＢの上縁部に係合させ、その後、側壁２１を閉じて、側壁２２，２３の上端の折曲片２６を内側へ折り曲げ、天板２５を閉じ、差込片２５ａを差込穴２６ａに差し込む。
【００３７】
このように、側壁２２，２３を切り起こして形成した係止片２２ａ，２３ａにバケットＢの上縁部を係合させると、梱包箱の内部におけるバケットＢの移動が阻止されるので、梱包箱の壁面への衝突による花卉の傷みを防止することができ、バケットＢを固定するための別部材を用意する必要もない。
【００３８】
また、周壁の形状から、輸送時に梱包箱が横倒しにされにくいので、バケットＢからの水漏れが防止され、四個の梱包箱を側壁２２，２３が接するように組み合わせて積載すると、積載効率が低下することもない。
【００３９】
そして、花卉市場で競りを行う際には、図１０に示すように、差込片２５ａを差込穴２６ａから引き抜いて天板２５を開き、差込片２１ａを差込穴２７ａから引き抜いて、側壁２１を開くことにより、最も広い面である正面側を全面的に開口させて、バケットＢに挿した花卉を見せることができる。
【００４０】
次に、この発明の第４実施形態を図１１乃至図１３に基づいて説明する。
【００４１】
この梱包箱は、台形柱状をなすものであり、図１１に示す段ボール製ブランクから形成される。このブランクでは、正面となる側壁３１の片側に、一方の側面となる側壁３２、後面となる側壁３３及び他方の側面となる側壁３４が順次連設され、側壁３４の外側には当接片３５が連設されている。
【００４２】
側壁３３の下端には下底板３６ａ及び上底板３６ｂが順次連設され、側壁３１の上端には天板３７が連設されている。下底板３６ａ、上底板３６ｂ及び天板３７は台形であり、その下底の長さに側壁３１の幅が対応し、上底の長さに側壁３３の幅が対応している。
【００４３】
側壁３２，３４の下端には三角形状の挟底板３６ｃがそれぞれ連設され、側壁３３の上端には巻込板３８ａ，３８ｂが順次連設され、側壁３２，３４の上端には折曲片３８ｃがそれぞれ連設されている。
【００４４】
側壁３１の外縁には差込片３１ａが設けられ、その基端に差込穴３１ｂが形成されている。当接片３５の基部には、差込穴３５ａが形成されると共に、側壁３４から延びる封止片３４ａが設けられている。天板３７の両側辺の先端部には差込片３７ａが設けられ、各折曲片３８ｃの基部には差込穴３８ｄが形成されている。
【００４５】
そして、側壁３３の中間下部には、一対の下向き鉤状の係止片３３ａが切込により形成されている。係止片３３ａは、基端の縦罫線をヒンジとして起こせるようになっている。
【００４６】
上記のようなブランクを組み立てて花卉を梱包するには、図１２に示すように、側壁３１，３２，３３，３４を台形筒をなすように折り曲げて周壁を形成すると共に、下底板３６ａと上底板３６ｂの間に挟底板３６ｃを挟んで底壁を形成する。
【００４７】
このとき、挟底板３６ｃの先端部一辺に設けた突起を、下底板３６ａと上底板３６ｂの稜部の切込に係合させ、上底板３６ｂの先端の突起を側壁３３の下端の穴に係合させると共に、下底板３６ａのロック片を上底板３６ｂの穴に押し込んで係合させる。
【００４８】
また、折曲片３８ｃを内側へ折り曲げ、巻込板３８ａ，３８ｂにより折曲片３８ｃの腕部を巻き込んで、折曲片３８ｃの腕部の突起を巻込板３８ａ，３８ｂの稜部の穴に係合させ、巻込板３８ｂの先端の突起を側壁３３の上端の穴に係合させる。
【００４９】
そして、側壁３１を開いた状態で、花卉を挿したバケットＢを箱内の底部に収納し、係止片３３ａを起こして、バケットＢの上縁部に係合させる。
【００５０】
ここで、図示したように、バケットＢに開口部が偏心した蓋Ｌを被せておき、開口部が外周側へ寄った部分に入れた切込Ｓに係止片３３ａを差し込むようにしてもよい。この場合、梱包箱の正面側では、蓋Ｌの開口部が外周から離れているので、梱包箱が正面側へ倒されたとき、確実に水漏れを防止することができる。
【００５１】
その後、当接片３５を内側へ折り曲げ、側壁３１を閉じて、差込片３１ａを差込穴３５ａに差し込み、また、封止片３４ａを屈曲させつつ、差込穴３１ｂに差し込み、天板３７を閉じ、差込片３７ａを差込穴３８ｄに差し込む。
【００５２】
このように、側壁３３を切り起こして形成した係止片３３ａにバケットＢの上縁部を係合させると、梱包箱の内部におけるバケットＢの移動が阻止されるので、梱包箱の壁面への衝突による花卉の傷みを防止することができ、バケットＢを固定するための別部材を用意する必要もない。
【００５３】
また、周壁の形状から、輸送時に梱包箱が横倒しにされにくいので、バケットＢからの水漏れが防止され、四個の梱包箱を側壁３２，３４が接するように組み合わせて積載すると、積載効率が低下することもない。
【００５４】
そして、花卉市場で競りを行う際には、図１３に示すように、差込片３７ａを差込穴３８ｄから引き抜いて天板３７を開き、封止片３４ａを差込穴３１ｂから引き抜くと共に、差込片３１ａを差込穴３５ａから引き抜いて、側壁３１を開くことにより、最も広い面である正面側を全面的に開口させて、バケットＢに挿した花卉を見せることができる。
【００５５】
次に、この発明の第５実施形態を図１４乃至図１６に基づいて説明する。
【００５６】
この梱包箱は、変則五角柱状をなすものであり、図１４に示す段ボール製ブランクから形成される。このブランクでは、正面となる側壁４１の片側に、一方の側面となる側壁４２、後方の二面となる側壁４３，４４及び他方の側面となる側壁４５が順次連設され、側壁４５の外側下部には継代４５ａが連設されている。
【００５７】
側壁４１乃至４５の下端には底板４６ａ乃至４６ｅがそれぞれ連設され、側壁４１の上端には天板４７が、側壁４２乃至４５の上端には折曲片４８がそれぞれ連設されている。天板４７は変則五角形とされ、底板４６ａ乃至４６ｅは組み合わせると、天板４７と同形の変則五角形となり、この五角形の最長辺の長さに側壁４１の幅が対応している。
【００５８】
側壁４１には幅方向の切目線４１ａが入れられ、その上方部分の端縁には閉止片４１ｂが連設されている。閉止片４１ｂと側壁４５の外縁には、互いに噛合する切込が入れられている。天板４７の最短辺を除く他の三辺には、差込片４７ａが設けられ、側壁４２，４４，４５の上端から延びる折曲片４８の基部には差込穴４８ａが設けられている。
【００５９】
そして、側壁４４の中間下部には、一対の下向き鉤状の係止片４４ａが切込により形成されている。係止片４４ａは、基端の縦罫線をヒンジとして起こせるようになっている。
【００６０】
上記のようなブランクを組み立てて花卉を梱包するには、図１５に示すように、側壁４１，４２，４３，４４，４５を変則五角筒をなすように折り曲げ、継代４５ａを側壁４１の内面に貼り付けて周壁を形成すると共に、底板４６ａ乃至４６ｅを組み合わせて底壁を形成する。
【００６１】
そして、側壁４１の切目線４１ａより上方部分を開いた状態で、花卉を挿したバケットＢを箱内の底部に収納し、係止片４４ａを起こして、バケットＢの上縁部に係合させ、側壁４１の上部を閉じ、閉止片４１ｂと側壁４５の端縁の切込同士を噛合させて、折曲片４８を内側へ折り曲げ、天板４７を閉じ、差込片４７ａを差込穴４８ａに差し込む。
【００６２】
このように、側壁４４を切り起こして形成した係止片４４ａにバケットＢの上縁部を係合させると、梱包箱の内部におけるバケットＢの移動が阻止されるので、梱包箱の壁面への衝突による花卉の傷みを防止することができ、バケットＢを固定するための別部材を用意する必要もない。
【００６３】
また、周壁の形状から、輸送時に梱包箱が横倒しにされにくいので、バケットＢからの水漏れが防止され、四個の梱包箱を側壁４２，４４が接するように組み合わせて積載すると、積載効率が低下することもない。
【００６４】
そして、花卉市場で競りを行う際には、図１６に示すように、差込片４７ａを差込穴４８ａから引き抜いて天板４７を開き、閉止片４１ｂと側壁４５の噛合を外して、側壁４１の上部を開くことにより、最も広い面である正面側を下部を除き開口させて、バケットＢに挿した花卉を見せることができる。
【図面の簡単な説明】
【００６５】
【図１】この発明に係る花卉梱包箱の第１実施形態のブランクを示す図
【図２】同上の梱包状態を示す斜視図
【図３】同上のバケット係止状態を示す底部縦断側面図
【図４】同上の正面開放状態を示す斜視図
【図５】この発明に係る花卉梱包箱の第２実施形態のブランクを示す図
【図６】同上の梱包状態を示す斜視図
【図７】同上のトレー開放状態を示す斜視図
【図８】この発明に係る花卉梱包箱の第３実施形態のブランクを示す図
【図９】同上の梱包状態を示す斜視図
【図１０】同上の正面開放状態を示す斜視図
【図１１】この発明に係る花卉梱包箱の第４実施形態のブランクを示す図
【図１２】同上の梱包状態を示す斜視図
【図１３】同上の正面開放状態を示す斜視図
【図１４】この発明に係る花卉梱包箱の第５実施形態のブランクを示す図
【図１５】同上の梱包状態を示す斜視図
【図１６】同上の正面開放状態を示す斜視図
【図１７】従来の花卉梱包箱の正面開放状態を示す斜視図
【符号の説明】
【００６６】
１乃至４  側壁
３ａ  係止片
１３乃至１６  側壁
１４ａ  係止片
２１乃至２３  側壁
２２ａ，２３ａ  係止片
３１乃至３４  側壁
３３ａ  係止片
４１乃至４５  側壁
４４ａ  係止片
Ｂ  バケット
【図１】
2006182386.tif 000003
【図２】
2006182386.tif 000004
【図３】
2006182386.tif 000005
【図４】
2006182386.tif 000006
【図５】
2006182386.tif 000007
【図６】
2006182386.tif 000008
【図７】
2006182386.tif 000009
【図８】
2006182386.tif 000010
【図９】
2006182386.tif 000011
【図１０】
2006182386.tif 000012
【図１１】
2006182386.tif 000013
【図１２】
2006182386.tif 000014
【図１３】
2006182386.tif 000015
【図１４】
2006182386.tif 000016
【図１５】
2006182386.tif 000017
【図１６】
2006182386.tif 000018
【図１７】
2006182386.tif 000019